(57)【要約】  レーダー放射線方向転換テープ（１、２）は、第１の複数の個別のレーダー反射指向性アンテナ（５、１１）を含む。各指向性アンテナは、少なくとも３つの長尺状の不均等に離間されたアンテナ導体（１０、２０、３０）を含み、アンテナ導体の長い伸長部は、テープの面内で互いに平行に配置されている。それにより、指向性アンテナは、到来するレーダー放射線の大部分を、アンテナ導体の長い伸長部に直交し、かつテープの面と平行である方向（８０）に反射するように動作可能である。
2019527974.tif 000002
【特許請求の範囲】
【請求項１】
面を画定するなどのために配置可能なレーダー方向転換テープ（１、２）であって、前記テープは、第１の複数（２００、２１０）の個別のレーダー反射指向性アンテナ（５、１１）を含み、各指向性アンテナは、少なくとも３つの長尺状の不均等に離間されたアンテナ導体（１０、２０、３０）を含み、前記アンテナ導体の長い伸長部が、前記テープの前記面内で互いに平行に配置されることにより、前記指向性アンテナは、到来するレーダー放射線（２６０）の大部分を、前記アンテナ導体の前記長い伸長部に直交し、かつ前記テープの前記面と平行である方向（８０）に方向転換するように動作可能である、前記テープ。
【請求項２】
前記少なくとも３つの長尺状の不均等に離間されたアンテナ導体は、ダイポール（１０）と、反射器（２０）と、第１の導波器（３０）とを含み、前記ダイポールは、前記反射器と前記第１の導波器との間に配置されており、かつ前記反射器と前記第１の導波器とに隣接している、請求項１に記載のテープ。
【請求項３】
前記ダイポール（１０）は０．１５ミリメートル〜１５センチメートルの長さを有する、請求項２に記載のテープ。
【請求項４】
前記ダイポール（１０）は０．２ミリメートル〜２０ミリメートルの長さを有する、請求項３に記載のテープ。
【請求項５】
前記第１の導波器（３０）は、前記ダイポールの前記長さの１０〜３０％の距離（ｄ１３）だけ前記ダイポール（１０）から離間されている、請求項２〜４のいずれか一項に記載のテープ。
【請求項６】
前記反射器（２０）は、前記ダイポールの前記長さの２０〜４０％の距離（ｄ１２）だけ前記ダイポール（１０）から離間されている、請求項２〜５のいずれか一項に記載のテープ。
【請求項７】
前記距離ｄ１３と前記距離ｄ１２との差は、前記ダイポールの前記長さの５％〜３０％である、請求項２〜６のいずれか一項に記載のテープ。
【請求項８】
前記第１の導波器（３０）の長さは、前記ダイポール（１０）の前記長さよりも少なくとも１０％短い、請求項２〜７のいずれか一項に記載のテープ。
【請求項９】
前記第１の導波器（３０）の前記長さは、前記ダイポール（１０）の前記長さよりも１０〜３０％短い、請求項８に記載のテープ。
【請求項１０】
前記反射器（２０）の長さは、前記ダイポール（３０）の前記長さよりも少なくとも２％長い、請求項２〜９のいずれか一項に記載のテープ。
【請求項１１】
前記反射器（２０）の前記長さは、前記ダイポール（３０）の前記長さよりも２〜８％大きい、請求項１０に記載のテープ。
【請求項１２】
前記反射器（２０）の前記長さは、前記ダイポール（３０）の前記長さよりも８〜４０％大きい、請求項１０に記載のテープ。
【請求項１３】
前記テープは比誘電率（εＲ）及び設計レーダー周波数（Ｆ）を有し、Ｆは１０〜２００ＧＨｚであり、かつεＲは１より大きく１０未満であり、ｃ／（Ｆ√εＲ）の実効波長（λ’）が得られ、式中、ｃは真空中の光速であり、
前記ダイポールの長さは前記実効波長の４０〜６０％であり、
前記第１の導波器の長さは前記ダイポールの前記長さよりも１５〜２５％短く、
前記ダイポールと前記第１の導波器との距離（ｄ１３）は前記ダイポールの前記長さの１５〜２５％であり、
前記反射器の長さは前記ダイポールの前記長さよりも２〜３０％長く、
前記反射器と前記ダイポールとの距離（ｄ１２）は前記ダイポールの前記長さの２５〜３５％であり、
ｄ１２とｄ１３との差は前記ダイポールの前記長さの５％〜３０％である、請求項２に記載のテープ。
【請求項１４】
前記少なくとも３つの長尺状の不均等に離間されたアンテナ導体（１０、２０、３０）は、前記アンテナ導体の長い伸長部が前記テープの前記面内で互いに平行に配置されており、八木型アンテナ構造を形成するように配置及び適合されている、請求項１〜１３のいずれかのうちのいずれか一項に記載のテープ。
【請求項１５】
前記テープは長尺状であり、前記テープの前記面内で、長さ方向（１００）及び前記長さ方向に直交する幅方向（１１０）を規定し、前記第１の複数のアンテナの前記アンテナ導体は、前記テープの前記面内で、前記アンテナ導体の長い伸長部が前記テープの前記長さ方向に直交するように配置されている、請求項１〜１４のいずれか一項に記載のテープ。
【請求項１６】
前記第１の複数のアンテナの前記アンテナ導体のうちの少なくとも１つは、導電性材料の被覆パターンによって形成されている、請求項１〜１５のいずれか一項に記載のテープ。
【請求項１７】
前記第１の複数のアンテナの前記アンテナ導体（１０、２０、３０）のうちの１つ以上を支持する支持体（７０）を更に含む、請求項１〜１６のいずれか一項に記載のテープ。
【請求項１８】
前記第１の複数の個別のレーダー反射指向性アンテナの全てのアンテナ（５）は、前記第１の複数の個別のレーダー反射指向性アンテナの第１の共通の支配的な反射方向（１８０）を提供するために前記テープの前記面内で同一の幾何学的方位を有する、請求項１〜１７のいずれか一項に記載のテープ。
【請求項１９】
第２の複数（２２０）の個別のレーダー反射指向性アンテナ（１１）を更に含み、前記第２の複数のアンテナの各指向性アンテナが、少なくとも３つの長尺状の不均等に離間されたアンテナ導体（１０、２０、３０）を含み、前記アンテナ導体の長い伸長部が前記テープの前記面内で互いに平行に配置されている、請求項１〜１８のいずれか一項に記載のテープ。
【請求項２０】
前記第２の複数（２２０）の個別のレーダー反射指向性アンテナの全てのアンテナ（１１）が、前記第２の複数の個別のレーダー反射指向性アンテナの第２の共通の支配的な反射方向（１８１）を提供するために前記テープの前記面内で同一の幾何学的方位を有し、前記第１の共通の支配的な反射方向（１８０）と前記第２の共通の支配的な反射方向（１８１）との角度は１〜１８０度である、請求項１９に記載のテープ。
【請求項２１】
前記第１及び前記第２の複数のアンテナの前記アンテナの前記アンテナ導体は、同一の支持体（７０）上に形成されている、請求項１９及び２０のいずれか一項に記載のテープ。
【請求項２２】
前記テープの第１主面上の複数の視認可能な再帰反射素子（１５０）と、前記テープの第２主面上の接着剤（１６０）とを更に含む、請求項１〜２１のいずれか一項に記載のテープ。
【発明の詳細な説明】
【技術分野】
【０００１】
本開示は、レーダー放射線を好ましい方向に方向転換するテープに関し、このテープは、走行を支援する、又は自律走行を容易にするために道路上で使用することができる。
【発明の概要】
【０００２】
要約すると、一態様では、本開示は、面を画定するなどのために配置可能なレーダー方向転換テープを提供する。テープは、第１の複数の個別のレーダー反射指向性アンテナを含み、各指向性アンテナは、少なくとも３つの長尺状の不均等に離間されたアンテナ導体を含み、アンテナ導体の長い伸長部は、テープの面内で互いに平行に配列されている。それにより、指向性アンテナは、到来するレーダー放射線の大部分を、アンテナ導体の長い伸長部に直交し、かつテープの面と平行である方向に方向転換するように動作可能である。
【０００３】
いくつかの実施形態では、少なくとも３つの長尺状の不均等に離間されたアンテナ導体は、ダイポールと、反射器と、第１の導波器）とを含む。ダイポールは、反射器と第１の導波器との間に配置されており、かつ反射器と第１の導波器とに隣接している。
【０００４】
いくつかの実施形態では、ダイポールは０．１５ミリメートル〜１５センチ、例えば、０．２ミリメートル〜２０ミリメートルの長さを有する。いくつかの実施形態では、第１の導波器は、ダイポールの長さの１０〜３０％の距離（ｄ１３）だけダイポールから離間されている。いくつかの実施形態では、反射器は、ダイポールの長さの２０〜４０％の距離（ｄ１２）だけダイポールから離間されている。いくつかの実施形態では、距離ｄ１３と距離ｄ１２との差は、ダイポールの長さの５％〜３０％である。
【０００５】
いくつかの実施形態では、第１の導波器の長さは、ダイポールの長さよりも少なくとも１０％短く、例えば、ダイポールの長さよりも１０〜３０％短い。いくつかの実施形態では、反射器の長さは、ダイポールの長さよりも少なくとも２％長く、例えば、ダイポール（３０）の長さよりも２〜８％大きく、又はダイポール（３０）の長さよりも８〜４０％大きい。
【０００６】
いくつかの実施形態では、テープは比誘電率（εＲ）及び設計レーダー周波数（Ｆ）を有する。いくつかの実施形態では、Ｆは１０〜２００ＧＨｚであり、かつεＲは１より大きく１０未満であり、ｃ／（Ｆ√εＲ）の実効波長（λ’）が得られ、式中、ｃは真空中の光速である。いくつかの実施形態では、ダイポールの長さは実効波長の４０〜６０％であり、第１の導波器の長さはダイポールの長さよりも１５〜２５％短く、ダイポールと第１の導波器との距離（ｄ１３）はダイポールの長さの１５〜２５％であり、反射器の長さはダイポールの長さよりも２〜３０％長く、反射器とダイポールの距離（ｄ１２）はダイポールの長さの２５〜３５％であり、ｄ１２とｄ１３との差はダイポールの長さの５％〜３０％である。
【０００７】
いくつかの実施形態では、少なくとも３つの長尺状の不均等に離間されたアンテナ導体は、アンテナ導体の長い伸長部がテープの面内で互いに平行に配置されており、八木型アンテナ構造を形成するように配置及び適合されている。
【０００８】
いくつかの実施形態では、テープは長尺状であり、テープの面内で、長さ方向及び長さ方向に直交する幅方向を規定し、第１の複数のアンテナのアンテナ導体は、テープの面内で、アンテナ導体の長い伸長部がテープの長さ方向に直交するように配置されている。いくつかの実施形態では、第１の複数のアンテナのアンテナ導体のうちの少なくとも１つが、導電性材料の被覆パターンによって形成されている。いくつかの実施形態では、テープは、第１の複数のアンテナのアンテナ導体のうちの１つ以上を支持する支持体を更に含む。
【０００９】
いくつかの実施形態では、第１の複数の個別のレーダー反射指向性アンテナの全てのアンテナは、第１の複数の個別のレーダー反射指向性アンテナの第１の共通の支配的な反射方向を提供するためにテープの面内で同一の幾何学的配向を有する。
【００１０】
いくつかの実施形態では、テープは、第２の複数の個別のレーダー反射指向性アンテナを更に含み、第２の複数のアンテナの各指向性アンテナは、少なくとも３つの長尺状の不均等に離間されたアンテナ導体を含み、アンテナ導体の長い伸長部はテープの面内で互いに平行に配置されている。いくつかの実施形態では、第２の複数の個別のレーダー反射指向性アンテナの全てのアンテナは、第２の複数の個別のレーダー反射指向性アンテナの第２の共通の支配的な反射方向を提供するためにテープの面内で同一の幾何学的方位を有し、第１の共通の支配的な反射方向と第２の共通の支配的な反射方向との角度は１〜１８０度である。いくつかの実施形態では、第１及び第２の複数のアンテナのアンテナ導体が、同一の支持体上に形成されている。
【００１１】
本開示の上記概要は、本発明の各実施形態について記載することを意図するものではない。本発明における１つ以上の実施形態の詳細は、下記の説明にも記載されている。本発明の他の特色、目的、及び利点については、発明を実施するための形態及び特許請求の範囲から明らかとなるであろう。
【図面の簡単な説明】
【００１２】
【図１】本開示のいくつかの実施形態に係るテープ用のレーダー反射指向性アンテナの斜視概略図。
【図２】本開示のいくつかの実施形態に係るレーダー方向転換テープの斜視概略図。
【図３】本開示のいくつかの実施形態に係る更なるレーダー方向転換テープの斜視概略図。
【図４】照射されたレーダー放射線を示す、道路上に貼られた図２のテープ及び道路上で走行している車両の概略上面図。
【図５】図４のシーンの概略側面図。
【図６】反射されたレーダー放射線を示す、図４のシーンの概略上面図。
【図７】図６のシーンの概略側面図。
【発明を実施するための形態】
【００１３】
道路上で車両を安全に運転する際に人間の運転者を支援するために、従来の道路標示や交通標識などの標識が使用されている。これらの標識は、人間の目に見えるように設計されている。より最近では、従来の道路標示及び交通標識を撮像する光学カメラに基づく運転者支援システムが一部の車に装備されている。しかしながら、可視カメラによるこのような要素の検出は、雨、霧、粉塵、雪又は他の悪い気象条件によって損なわれる場合がある。最近、赤外線カメラ、超音波駐車アシスト又はレーダーシステムなどの他のセンサシステムが普及している。これらのシステムは、雨、霧又は粉塵を通しても検出可能な標識を利用する。これらは、人間の目にはほとんど見えない。
【００１４】
特に、車線を維持する際、自律的な路面車両を道路の車線内に維持する際、又は道路の方向における車両の位置を決定する際に、人間の運転者を支援するためのレーダーシステムが提案されている。このようなレーダーの大部分は、約１ＧＨｚ〜３００ＧＨｚの周波数で動作する。遠距離車両誘導レーダーシステムは、２００〜３００メートルまでの距離に対して約７７ＧＨｚのレーダー周波数を使用することが多いが、近距離車両誘導レーダーは、主として、４０メートルまでの距離に対して約２４ＧＨｚで動作する。このようなシステムは、車両を操縦するのに有用とするために、道路上又は道路の隣に、レーダー視認可能な、すなわちレーダー反射性の標識を必要とする。
【００１５】
このような標識は、道路を視覚的に画定する道路標示帯内に収容することができる。欧州特許出願第０１３５７４０号は、例えば、道路標示帯及び当該帯の下にある受動構成要素に関する。この受動構成要素は、車両に搭載された受信構成要素にレーダーエネルギーを戻すように設計されている。
【００１６】
米国特許第６，００５，５１１号はレーダー誘導装置に関する。本特許では、パルスが、車道に沿って分散されたストライプによって車両に反射されて戻る。このストライプは、追跡レーダーの動作周波数で再帰反射グレーティングローブを生成する周波数選択性表面であると説明されている。
【００１７】
従来のレーダー反射ストライプは、一般に、多少複雑な構造を有するため、製造するのにコストがかかる。また、それらの多くは、車両誘導形状体に特有である斜入射及び斜反射に対して最適化されていない。その場合、レーダー照射器は、通常、地面上１メートル未満に設置され、反射されるレーダー信号は、通常数十メートル又は数百メートルの距離にある素子から生じる。
【００１８】
従来技術に照らしてみれば、レーダーを車両誘導形状体に方向転換する能力が改善されており、かつ低コストな方法で製造可能であるテープを提供することが望ましいと思われる。本開示は、これらの課題に対処することを試みる。
【００１９】
本開示は、面を画定するなどのために配置可能なレーダー方向変換テープを提供する。テープは、第１の複数の個別のレーダー反射指向性アンテナを含む。各指向性アンテナは、少なくとも３つの長尺状の不均等に離間されたアンテナ導体を含み、アンテナ導体の長い伸長部は、テープの面内で互いに平行に配置されている。それにより、指向性アンテナは、到来するレーダー放射線の大部分を、アンテナ導体の長い伸長部に直交し、かつテープの面に平行である方向に方向転換するように動作可能である。
【００２０】
典型的な車両誘導形状体において高いレーダー強度を提供するために、レーダー放射線をテープの面と平行な方向へと大部分を方向転換すると、レーダービームは、車両から照射され、車両から数十メートル離れたレーダー方向転換テープに浅い角度で当たり、方向転換されて車両に戻る。テープと平行な方向にレーダー放射線の大部分が方向転換されるが、車両に向かう方向は、テープと平行な方向に非常に接近している。これらの２つの方向の間の角度は、通常、１．５°未満である。しかしながら、本開示のレーダー反射指向性アンテナの強度ローブは、大部分が１．５°よりもずっと広い。この理由から、最大強度はテープに平行に方向転換されるが、放射線の大部分は車両に向かって方向転換される。換言すれば、車両は、指向性アンテナの主強度ローブの中心方向に存在する必要はないが、主強度ローブ内にある。ある程度の放射線量は、他の方向、例えば、車両に向かう以外の方向に反射されることによって失われる。指向性アンテナにより、浅い角度で、すなわち、斜入射でテープに入射するレーダー放射線を方向転換してレーダー照射器に向かって強く戻すことができる。
【００２１】
レーダー周波数は、約１ＧＨｚ〜約３００ＧＨｚの電磁放射周波数である。レーダー周波数は、例えば、約７７ＧＨｚ又は約２４ＧＨｚの周波数であってもよい。レーダー波長は、これらのレーダー周波数に対応する波長である。一レーダー周波数において、テープ材料内のレーダー波長は、真空中のレーダー波長とは異なってもよい。材料内のレーダー波長は、実効波長を表すと考えられる。すなわち、例えば、材料の比誘電率εＲなどの誘電特性に対して補正されている。一般に、比誘電率εＲ及び比透磁率μＲ＝１を有する媒体内で、実効波長はλ’＝ｃ／（Ｆ√εＲ）である。ここで、ｃは真空中の光の速度（３．００Ｅ＋０８メートル／秒）であり、Ｆは真空中のレーダー周波数である。７７ＧＨｚのレーダー周波数は、真空中の３．９ｍｍのレーダー波長と、εＲ＝２を有する媒体内の２．８ｍｍの実効波長とに相当する。２４ＧＨｚのレーダー周波数は、真空中の１２．５ｍｍの波長と、εＲ＝４を有する媒体内の６．３ｍｍの実効波長とに相当する。
【００２２】
ポリマー材料は、本開示に係るテープのアンテナに埋め込むのに適した材料である。多くのポリマー材料の比誘電率は、例えば、１よりも大きく１０以下、例えば、１よりも大きく８以下、１よりも大きく６以下、又は更には２〜４の範囲内である。特定の材料に対する比誘電率の値は、数多くの既存の表から得ることができる。比誘電率は、周波数の関数であることが知られている。従って、標準的な機器及び方法を使用して、意図される使用条件に対して比誘電率を測定してもよい。
【００２３】
本開示に係るレーダー方向転換テープは、通常、テープが使用されることが想定される特定のレーダー周波数、すなわち「設計レーダー周波数」に対して設計される。指向性アンテナの平行なアンテナ導体間の距離は、設計レーダー周波数の実効波長に応じて選択される。また、指向性アンテナのアンテナ導線の長さは、設計レーダー周波数の実効波長に従って選択される。例えば、隣接するアンテナ間の距離などの他のパラメータは、１つのアンテナが隣接するアンテナの性能を妨げないように選択することができる。そのため、アンテナ導体の形状、それらの間隔、サイズ、配置などは、通常、設計レーダー周波数に依存する。
【００２４】
本開示に係るレーダー方向転換テープは、通常、特別なレーダー強度、すなわち「設計レーダー強度」に対して設計される。所与の設計レーダー強度に対し、テープによって車両に向かって反射されるレーダー放射線の強度は、通常、テープの単位面積当たりに同一方位の指向性アンテナをより多く有することによって高めることができる。
【００２５】
本開示に係るレーダー方向転換テープは、可撓性であってもよい。従って、テープは屈曲してもよい。これにより、テープをロール状に設けることができる。テープは、平坦化することができ、すなわち平板状にすることができ、又は換言すれば、テープは、面を画定するために配置することができる。テープは一般的に薄いため、平坦化されたテープは面を画定する。この面はまた、テープの面と呼ぶことができる。
【００２６】
本開示に係るテープは適合可能であってもよい。すなわち、テープは、表面に押し当てられているとき、その表面の輪郭を辿るように適合することができる。適合可能なテープは、道路表面の表面特徴部にわたって貼るのがより容易である。適合可能な接着テープは、接着剤と道路表面との間により大きな接触面を提供することにより、それらをより確実に道路表面に接着することができる。
【００２７】
一般に、本明細書で記載される他の特徴に依存せず、本開示に係るレーダー方向転換テープは、接着テープ又は自接着テープであってもよい。接着テープは、例えば、ホットメルト接着剤又は感圧性接着剤の層などの接着剤層を含む。この接着剤層により、テープを、恒久的に、又は一時的に道路の表面又は他の表面に付着させることができる。道路表面に対して一時的に付着させるためのテープは、道路表面から着脱可能であってもよい。自接着テープは、道路表面に対して、又は別の表面に対して付着させるために感圧性接着剤の層を含む。
【００２８】
あるいは、本開示に係るテープは、接着剤フリーであってもよい。このような接着剤フリーテープは、テープ内に含まれない別々の粘着要素を介して、又は非粘着手段によって表面に付着することができる。当初は接着剤フリーであるテープに、後の段階で、例えば、表面に付着させる直前に、接着剤が提供されてもよい。従って、接着剤フリーテープは、製造及び／又は用途において向上した汎用性を提供することができる。
【００２９】
指向性アンテナのサイズは、とりわけ、設計レーダー周波数と、アンテナのアンテナ導体が内部に埋め込まれた材料の比誘電率とに依存する。アンテナがより小さい場合、より多くのアンテナを、テープの１平方センチメートル当たりに収容することができる。εＲ＝２の比誘電率を有し、７７ＧＨｚのレーダー周波数に対して設計されている本開示に係るテープは、テープの１平方センチメートル当たりに、１〜１００又は２００個の指向性アンテナを含むことができる。
【００３０】
この開示で使用されるように、用語「指向性アンテナ」は、１つの特定の方向において、他の全ての方向におけるアンテナの利得と比較して最大利得を有するアンテナを指す。例えば、照射アンテナでは、単純なダイポールは指向性アンテナとみなされない。その理由は、このダイポールが、ダイポールの長い伸長部に直交する（すなわち、ダイポールの長さ方向に直交する）全ての方向へと均一に放射線を照射し、それらの方向のうちの１つの優先される方向へと大部分を照射することがないためである。しかしながら、八木型アンテナは指向性アンテナとみなされる。その理由は、このアンテナが、アンテナの順方向において最大利得を有するためである。
【００３１】
一般に、用語「アンテナ」は、多くの場合、電磁波を捕捉するため、又は電磁波を照射するためのいずれかの構造を指すことに注意すべきである。しかしながら、アンテナの指向特性は、吸収と照射とで同一であることが知られている。本開示の文脈では、「アンテナ」は、電磁放射線を捕捉し、それを再照射する構造を指す。従って、本開示に係るアンテナは、指向性反射器の機能を果たす。本開示に係るテープでは、指向特性は、とりわけ、指向性アンテナのアンテナ導体のサイズ、位置、配向及び電気的特性によって決定される。
【００３２】
本開示に係るテープの個別のレーダー反射指向性アンテナは、指向性反射を提供するために、アンテナ理論から知られた干渉効果を利用する。アンテナのアンテナ導体間の典型的な間隔及びアンテナ導体の所定の寸法は、テープを設計するための入射レーダー放射線の振幅のオーダー、すなわち、１ミリメートルの数分の１から３０センチメートルまでの範囲である。
【００３３】
アンテナ導体は、入射放射線を反射又は方向転換又は再照射又は捕捉するために、その形状、サイズ、導電率、又はアンテナの他のアンテナ導体に対するその位置若しくは配向によって適合することができる。アンテナ導体の例は、共振ダイポール、すなわち八木型アンテナにおける導波器又は反射器である。アンテナ導体は、支持体上の導電性材料のトレース又は経路から構成されてもよく、又はそれを含んでもよい。具体的には、アンテナ導体は、ポリマー支持体上の銅トレースから構成されてもよく、又はそれを含んでもよい。あるいは、アンテナ導体は、１本の線又は金属棒から構成されてもよく、又はそれを含んでもよい。一般に、アンテナ導体は、電気的に高導電性である必要があるが、導電性のより低いアンテナ導体も、許容できる性能を提供することができる。
【００３４】
八木式アンテナのように、この開示に係るレーダー方向転換テープ内のアンテナ導体も互いに電気的に接続することができる。あるいは、それらは、互いに電気的に絶縁されてもよい。アンテナ導体が電気的に絶縁されているテープは、より低コストで製造することができる。
【００３５】
この開示に係るテープは、各指向性アンテナ内に少なくとも３つのアンテナ導体を含む。好適に適合され（例えば、長さ及び／又は導電率において）、好適に配置されると、これらのアンテナ導体は、指向性アンテナに指向特性を提供する。アンテナ理論から知られているように、指向性アンテナは、３つ以上のアンテナ導体、例えば４つ、５つ、６つ又はより多くのアンテナ導体を含んでもよい。指向性アンテナの他のアンテナ導体に対して好適にサイズ設定され、配置されると、これらの追加的なアンテナ導体は、例えば、主強度ローブをより狭くし、サイドローブ又は後方反射を低減させることにより、アンテナの指向特性を向上させることができる。
【００３６】
アンテナ理論（例えば、Ｃｏｎｓｔａｎｔｉｎｅ  Ｂａｌａｎｉｓによる「Ａｎｔｅｎｎａ  Ｔｈｅｏｒｙ：Ａｎａｌｙｓｉｓ  ａｎｄ  Ｄｅｓｉｇｎ」、第４版、又はＷａｒｒｅｎ  Ｌ．Ｓｔｕｔｚｍａｎ及びＧａｒｙ  Ａ．Ｔｈｉｅｌｅによる「Ａｎｔｅｎｎａ  Ｔｈｅｏｒｙ  ａｎｄ  Ｄｅｓｉｇｎ」、第３版、２０１２年６月）から、アンテナの３つの平行な長尺状アンテナ導体を配置してアンテナが指向特性を有するようにする方法が知られている。一般に、所与のレーダー波長に対し、３つのアンテナ導体間の間隔は、支配的な反射の所望の方向において構造的干渉が生じるように選択される。アンテナの主強度ローブの幅は、間隔を適切に選択することによって調節することもできる。互いに好適に離間された３つよりも多いアンテナ導体を指向性アンテナが含む場合、主強度ローブをより狭くすることができ、かつサイドローブを抑制することができる。
【００３７】
この開示に係るテープ内の指向性アンテナの主強度ローブは、過度に狭くすべきではなく、例えば、１．５°の半角度よりもさらに狭くすべきではない。その理由は、典型的な車両誘導形状では、ローブ内に車両がもはや存在しない場合があり、その後反射されて車両に戻るレーダー放射線が非常に少なくなるためである。ローブが過度に広い場合、反射されたレーダー放射線は、広範囲の空間角にわたって分散され、そのほとんどは車両に向かって反射されない。いずれの場合でも、反射された放射線は、車両のレーダー受信器によって検出するのがより困難となる。
【００３８】
アンテナは、特に、特定のレーダー波長に対して強い指向特性を有するように適合してもよい。アンテナ導体の寸法は、特定のレーダー波長を用いたアンテナの使用のために適合してもよい。指向性が同一であるアンテナの一方のアンテナ導体と別のアンテナ導体との相対的配置、例えば、一方のアンテナ導体と別のアンテナ導体との間の間隔は、特定のレーダー波長を用いたアンテナの使用のために適合してもよい。このような適合により、指向性アンテナの性能又は利得又は指向特性を改善することができる。
【００３９】
少なくとも３つの長尺状の不均等に離間されたアンテナ導体は、ダイポール、反射器と、第１の導波器とを含んでもよい。その場合、ダイポールは、反射器と第１の導波器との間に配置されている。換言すれば、少なくとも３つのアンテナ導体の第１のアンテナ導体は、ダイポールとして動作可能であってもよく、少なくとも３つのアンテナ導体の第２のアンテナ導体は、反射器として動作可能であってもよく、少なくとも３つのアンテナ導体の第３のアンテナ導体は、第１の導波器として動作可能であってもよい。
【００４０】
この開示では、２つのアンテナ導体は、それらの間に他のアンテナ導体が配置されない場合、隣接していると呼ばれる。第１のアンテナ導体（ダイポール）は、第２のアンテナ導体（反射器）と第３のアンテナ導体（第１の導波器）との間にあり、かつそれらに隣接してもよい。すなわち、ダイポールは、これら３つのアンテナ導体のいずれか２つの間に他のアンテナ導体が配置されていない状態で、反射器と第１の導波管との間に配置することができる。従って、ダイポールは、隣接する反射器と隣接する第１の導波器との間に配置されると言うことができる。このような配置は、アンテナ導体の長い伸長部に直交し、かつテープ面と平行の方向へ、到来するレーダー放射線を特に強く反射するために設けることができる。
【００４１】
本開示の文脈では、３つの長尺状アンテナ導体は、長い伸長部（すなわち、その長さ方向）が面内で互いに平行に配置され、不均等に離間されている。すなわち、第１のアンテナ導体と隣接するアンテナ導体との間隔（ｄ１２）は、第１のアンテナ導体と第３のアンテナ導体との間隔（ｄ１３）とは異なる。製造公差のため、アンテナ導体間の間隔は、決して正確に等しくならない。従って、この開示では、アンテナ導体は、ｄ１２とｄ１３との差が第１の導体の長さの少なくとも５％である。例えば、いくつかの実施形態では第１の導体の長さの少なくとも８％である場合、「不均等に離間された」とみなされる。いくつかの実施形態では、ｄ１２とｄ１３との差は、第１の導体の長さの３０％以下、例えば、２０％以下、又は更には１５％以下となる。いくつかの実施形態では、ｄ１２とｄ１３との差は、第１の導体の長さの５〜３０％、例えば、５〜２０％、８〜２０％又は更には８〜１５％の範囲である。
【００４２】
指向性アンテナの不均等に離間された３つの長尺状のアンテナ導体は直線であってもよい。直線状アンテナ導体は、特に強い指向特性を指向性アンテナに提供することができる。アンテナの主強度ローブをより狭くすると、大部分がより狭い空間へ反射されるレーダー放射線を得ることができ、それにより、車両で受信される反射レーダー信号をより強くすることができ、かつより容易に検出することができる。
【００４３】
いくつかの実施形態では、指向性アンテナは、ただ１つの直線状アンテナ導体を有してもよいが、少なくとも３つのアンテナ導体のうちの他の２つは曲線状とすることができる。同様に、２つのアンテナ導体が直線状であってもよく、１つのみが曲線状であってもよい。このような構成は、各アンテナの指向性を低減するが、それらは、依然として、許容可能な性能を得ることができる。通常、より大きい指向性が要求される。その理由は、大きな指向性により、レーダー放射線を照射する時の電力を低減することができ、又は反射されたレーダー放射線を検出する時の感度を低減することができるためである。しかしながら、特定の適用のシナリオにおいて、又は特定の状況下では、例えば、車両とテープとの相対位置が広い範囲で変化する場合、指向性の低減が要求されることがある。
【００４４】
アンテナ導体は、長尺状であり、かつテープの面内で互いに平行である。各アンテナ導体は中点を有してもよい。中点は、アンテナ導体の幾何学的中心であると理解される。指向性アンテナの全てのアンテナ導体の中点を直線上に配置することができる。直線は、アンテナ導体に直交する、すなわち、アンテナ導体の長い伸長部に直交することができる。このような配置は、アンテナの良好な指向特性を提供する。
【００４５】
アンテナ理論から知られているように、ダイポール、導波器（単数又は複数）及び反射器の相対的な長さは、アンテナの利得及び指向特性に好ましい影響を与える。共振ダイポールとして効率的に機能させるために、すなわち、レーダー放射線を効率的に吸収及び再照射するために、ダイポールの長さは、指向性アンテナが設計されるレーダー放射線の実効波長の半分とする必要がある。実効波長は、アンテナ導体が埋め込まれている媒体内のレーダー放射線の波長である。
【００４６】
従って、いくつかの実施形態では、ダイポールは、約０．１５ミリメートル（εＲ＝１０の比誘電率を有する媒体内で３００ＧＨｚのレーダー周波数の場合）〜１５センチメートル（１ＧＨｚかつεＲ＝１の場合）の長さを有してもよく、又は、換言すれば、ダイポールは、約０．１５ミリメートル〜１５センチメートルの長さを有してもよい。車両及び交通誘導において使用することが予想されるレーダー周波数の範囲は、１０〜２００ＧＨｚ、例えば、２０〜１００ＧＨｚである。これにより、予想されるダイポールの長さの範囲は、それぞれ約０．２〜２０ｍｍ及び約０．４〜１０ｍｍになる。例えば、εＲ＝４，を有する材料内でレーダー周波数が７７ＧＨｚのとき、例示的な指向性アンテナは、約１ｍｍの長さのダイポールを有してもよい。
【００４７】
半波長と一致しない長さを有するダイポールは、依然として、より劣るが、それでも潜在的に許容可能な程度に動作する。幾何学的制約又は他の考慮により、特定のダイポールの長さが要求される場合がある。そのため、この開示のいくつかの実施形態に係るテープでは、ダイポールの長さは、実効レーダー波長の半分よりも最大１０％短く、例えば、最大５％短くてもよい。いくつかの実施形態では、ダイポールの長さは、実効レーダー波長の半分よりも最大１０％長く、例えば、最大５％長くてもよい。
【００４８】
一般的に、第１の導波器の長さは、好適なインピーダンス適合を提供するために、実効波長の半分よりも幾分短く、例えば、少なくとも５％、少なくとも１０％短く、又は更には少なくとも１５％短くする必要がある。いくつかの実施形態では、第１の導波器の長さは、例えば、実効波長の半分の３０％以下であり、例えば、２５％以下である。第１の導波器は、その長さがより短い、又はより長い場合でも、依然として、より劣るが、それでも潜在的に許容可能な程度に動作する。例えば、第１の導波器は、その長さがダイポールの長さ、すなわち、実効波長の半分に等しい場合でも、ある程度動作する。そのため、一般に、第１の導波器の長さは、ダイポールの長さに等しくてもよく、又はそれより小さくてもよい。
【００４９】
いくつかの実施形態では、第１の導波器の長い伸長部、すなわち長さは、ダイポールの長さよりも有利に約２０％短い（すなわち、ダイポールの長さの約８０％）。例えば、いくつかの実施形態では、第１の導波器の長さは、ダイポールの長さよりも１０〜３０％、例えば、１５〜２５％、又は更には１８〜２２％短い。それにより、第１の導波器は、共振ダイポールのインピーダンス値と周囲媒体のインピーダンス値との間のインピーダンスを提供し、より良好な指向特性及び／又はより高い利得をもたらす。上述した例示的な指向性アンテナでは、第１の導波器の長さは０．７８ｍｍであってもよい。
【００５０】
レーダー放射線を効率的に反射するために、反射器は、ダイポールよりも長くする必要がある。一般に、その長さは、ダイポールの長さ、すなわち実効波長の半分と、レーダー放射線の完全な実効波長との間にする必要がある。多くの指向性アンテナの場合、最良の性能、例えば、最良の指向特性は、反射器をダイポールよりも約５％長くする、例えば、２〜８％、３〜７％、又は更には４〜６％長くすることによって得られる。上述した例示的なアンテナでは、反射器は１．０２ｍｍの長さを有する。
【００５１】
他のアンテナ形状では、反射器がダイポールよりも少なくとも８％長い、例えば、１０％又は更には２０％長い場合、指向特性にとって有利であることが分かっている。しかしながら、異なる長さを有する反射器は、依然として、効率がより低くても、許容できる程度に動作し得る。従って、一般に、反射器の長さは、ダイポールの長さに等しくてもよく、又はそれより大きくてもよい。いくつかの実施形態では、反射器の長さは、ダイポールの４０％以下、例えば、３０％以下である。
【００５２】
本開示に係る特定の指向性アンテナでは、ダイポールは、反射器と第１の導波器との間に配置されている。導体間の相対距離は、アンテナの指向特性に影響を与える。便宜上、第１の導体と第２の導体（例えば、ダイポールと反射器）との間隔を距離ｄ１２と呼ぶ。同様に、第１の導体と第３の導体（例えば、ダイポールと導波器）との間隔を距離ｄ１３と呼ぶ。
【００５３】
多くのアンテナ形状では、第１の導波器を、ダイポールの長さの約２０％（例えば、１５〜２５％、例えば、１８〜２２％、又は更には１９〜２１％）の距離（ｄ１３）でダイポールから配置することが有利であると分かっている。第１の導波器とダイポールとの他の距離は、依然として、最適とは言えないが許容可能であり得、ある程度の性能を提供する。性能のより広い範囲での変動を許容する場合、第１の導波器は、ダイポールの長さの１０％〜３０％の距離だけダイポールから離間してもよい。
【００５４】
第１の導波器が、ダイポールの長さの２０％又は約２０％の距離だけダイポールから離間されている場合、その配置は、特に高いアンテナの利得を提供することが予想され、到来するレーダー放射線の大部分を、アンテナ導体の長い伸長部に直交し、かつテープ面と平行な方向へ更に強く反射することができる。７７ＧＨｚ用の例示的な指向性アンテナでは、第１の導波器のダイポールからの間隔は０．１９ｍｍである。
【００５５】
多くのアンテナ形状では、反射器を、ダイポールの長さの約３０％（例えば、２５〜３５％、２８〜３２％、又は更には２９〜３１％）の距離ｄ１２でダイポールから配置することが有利であると分かっている。反射器とダイポールとの他の距離は、依然として、最適とは言えないが許容可能であり得るある程度の性能を提供する。性能のより広い範囲での変動を許容する場合、反射器は、ダイポールの長さの２０％〜４０％の距離だけダイポールから離間してもよい。
【００５６】
反射器が、ダイポールの長さの３０％又は約３０％の距離だけダイポールから離間されている場合、その配置は、特に高いアンテナ利得を提供することが予想され、到来するレーダー放射線の大部分を、アンテナ導体の長い伸長部に直交し、かつテープ面と平行な方向へ更に強く反射することができる。７７ＧＨｚ用の上述の例示的な指向性アンテナでは、第１の導波器のダイポールからの間隔は０．２９ｍｍである。
【００５７】
上述した好ましい距離を組み合わせることにより、特に強い指向特性及び高利得を有するアンテナを得ることができる。従って、第１の導波器は、ダイポールの長さの２０％又は約２０％の距離だけダイポールから離間されてもよく、反射器は、ダイポールの長さの３０％又は約３０％の距離だけダイポールから離間してもよい。この反射器、ダイポール及び導波器の配置は、特に高いアンテナの利得を提供することが予想され、到来するレーダー放射線の大部分を、アンテナ導体の長い伸長部に直交し、かつテープ面と平行な方向へ更に強く反射することができる。
【００５８】
「不均等に離間された」状態にするためには、距離ｄ１２（例えば、ダイポールと第１の導波器との間隔）と距離ｄ１３（例えば、ダイポールと反射器との間隔）との差を、ダイポールの長さの少なくとも５％、例えば、いくつかの実施形態ではダイポールの長さの少なくとも８％にしなければならならない。いくつかの実施形態では、ｄ１２とｄ１３との差は、ダイポールの長さの３０％％以下、例えば、２０％以下、又は更には１５％以下となる。いくつかの実施形態では、ｄ１２とｄ１３との差は、ダイポールの長さの５〜３０％、例えば、５〜２０％、８〜２０％、又は更には８〜１５％の範囲である。
【００５９】
指向性アンテナは、テープの面内に、３つのアンテナ導体と平行に配置された第４のアンテナ導体を含んでもよい。この第４のアンテナ導体は、第１の導波器が、ダイポールと第４のアンテナ導体との間に平行になるように配置され、かつこれらに隣接するように配置されている。この第４の導体は、第２の導波器として動作可能であってもよい。第２の導波器を有するアンテナは、優勢的な反射方向により高いアンテナ利得及びアンテナのより強い指向特性を提供することができる。
【００６０】
１つよりも多い導波器をアンテナが有する場合、更なる導波器（単数又は複数）が適切に配置され、構成されるのであれば、アンテナの指向特性は一般的に改善される。当業者がアンテナ理論から知るように、第２の導波器の存在は、他の全てのアンテナ導体の最適な形状及び配置に影響を与える。更なる導波器の配置及び長さを調節して、指向特性、動作帯域幅及びアンテナ利得のうちの１つ以上を最適化することができる。良好な指向特性のためには、第２の導波器を、第１の導波器よりも短く、例えば、約５％短くする必要がある。いくつかの実施形態では、第１の導波器から第２の導波器までの距離を、第１の導波器からダイポールまでの距離よりも長くする、例えば、約３０％長くする必要がある。
【００６１】
不均等に離間された少なくとも３つの長尺状のアンテナ導体は、アンテナ導体の長い伸長部がテープの面内で互いに平行に配置されており、八木型アンテナ構造を形成するように配置及び適合することができる。八木アンテナ又は八木・宇田アンテナは、アンテナ理論において知られている。これらのアンテナは、そのダイポール、導波器及び反射器の面内に、強い指向特性及び高いアンテナ利得を提供する。八木型アンテナ構造は、本明細書で使用される場合、ダイポールと、ダイポールの一方の側にある反射器と、ダイポールの反対側にある１つ以上の導波器とを有するアンテナを指す。ダイポール、反射器及び導波器は、全て長尺状、直線状であり、かつ互いに平行である。ダイポール、反射器及び導波器中心点は、ダイポールの長い伸長部に直交する直線上に配置されている。ダイポールは、電気的に短絡されており、実効レーダー波長の半分の長さを有するが、導波器はダイポールよりも短く、反射器はダイポールよりも長い。反射器とダイポールとの間隔はダイポールの長さの約３０％であり、導波器とダイポールとの間隔はダイポールの長さの約２０％である。正確な形状は、導波器の数並びに所望の指向特性及び利得などの他の要因に依存する。
【００６２】
第１の複数の個別のレーダー反射指向性アンテナの全てのアンテナは、第１の複数の個別のレーダー反射指向性アンテナに共通の支配的な反射方向を提供するためにテープ面内に同一の幾何学的配向を有することができる。同一の幾何学的配向は、互いに平行である個別のアンテナの支配的な反射方向に対応する。共通の反射方向は、他の潜在的な反射方向と比較したとき、共通の支配的な反射方向、すなわち、複数のアンテナの大部分が反射する方向であってもよい。
【００６３】
上記のようなテープは、第２の複数の個別のレーダー反射指向性アンテナを更に含んでもよい。その場合、第２の複数のアンテナの各指向性アンテナは、不均等に離間された少なくとも３つの長尺状のアンテナ導体を含み、アンテナ導体の長い伸長部は、テープの面内で互いに平行に配置されている。これらのアンテナ導体は直線状又は曲線状であってもよい。第２の複数のアンテナは、レーダー放射線の大部分を異なる方向に反射するために、又はレーダー放射線を異なる反射強度で反射するために、又は異なる実効波長を有するレーダー放射線を反射するために構成され、かつ／又は方向付けられ、かつ／又は設計されてもよい。それにより、テープがより多用途になり得る。
【００６４】
第１の複数のアンテナの全てのアンテナは、互いに平行に方向付けられてもよい。第２の複数の全てのアンテナは、互いに平行に方向付けられてもよい。第２の複数の全てのアンテナは、第１の複数のアンテナのアンテナと平行に、又はそれとは逆平行に方向付けられてもよい。それらはまた、テープの面内で、第１の複数のアンテナとの角度を形成するように方向付けられてもよい。
【００６５】
テープが支持体及び第２の複数のアンテナを含む場合、支持体は、第１の複数のアンテナのアンテナ導体を支持している第１の支持部分と、第２の複数のアンテナのアンテナ導体を支持している第２の支持部分とを含んでもよい。
【００６６】
支持体は、２つの対向する主面を有してもよい。その場合、第１の複数のアンテナを一方の主面上に配置してもよく、第２の複数のアンテナを支持体の対向する主面上に配置してもよい。
【００６７】
第１及び第２の複数のアンテナのアンテナ導体は、同一の支持体上に形成してもよい。それらは、例えば、同一の支持体テープ上に形成してもよい。
【００６８】
支持体は更に、アンテナ導体が無い１つ以上の間隙をテープの面内に含んでもよい。このようなアンテナが無い間隙は、アンテナを有するテープの部分の間に配置されている。アンテナが無い間隙及びアンテナ支持部分は任意のサイズを有することができ、例えば、テープが道路表面に付着されている場合、走行方向に測定して、１０センチメートル、２０センチメートル、５０センチメートル、１００センチメートルの間隙、又はそれよりも長い間隙を有することができる。間隙及び部分の長さは、車両が道路に沿って走行するときに、レーダーが反射される時間とレーダーが反射されない時間とが交互になるようにすることができる。アンテナが無い間隙及びアンテナ支持部分の出現は、テープから方向転換されたレーダーを迷走レーダー信号から区別するために使用することができる。いくつかの実施形態では、アンテナが無い間隙とアンテナ支持部分との相対的な長さを利用して、光学バーコードと同様の情報を符号化することができる。符号化され得る例示的な情報としては、速度制限、交差点の存在、カーブの存在、又は特定の距離におけるレーダー誘導の終了に関するものが挙げられる。
【００６９】
上記のように、本開示のレーダー反射テープは、第２の複数の個別のレーダー反射指向性アンテナを更に含んでもよい。その場合、第２の複数のアンテナの各指向性アンテナは、不均等に離間された少なくとも３つの長尺状のアンテナ導体を含み、アンテナ導体の長い伸長部は、テープ面内に互いに平行に配置されている。これらのアンテナ導体は直線状であってもよい。第２の複数のアンテナは、第２の複数のアンテナのアンテナ導体の長い伸長部が、テープの面内で、第１の複数のアンテナのアンテナ導体の長い伸長部に対して１°又は約１°〜１８０°又は約１８０°の角度で方向付けられるように配置してもよい。
【００７０】
この第２の複数の指向性アンテナは、到来するレーダー放射線の大部分を、第１の複数の指向性アンテナの支配的な反射方向とは異なる第２の方向へ反射するように動作可能であってもよい。それにより、レーダー方向転換テープは、２つの異なる方向から入射するレーダー放射線に対して反射性であってもよく、第１の方向から入射するレーダー放射線の大部分をその第１の方向へ反射して戻すと共に、第２の方向から入射するレーダー放射線の大部分をその第２の方向へ独立して、かつ同時に反射して戻すことができる。従って、テープは、道路上の車両の２つの走行方向に対して使用可能であってもよい。互いに対して１８０°の配向で方向付けられると、第１の複数の指向性アンテナは、道路上の一方向に走行している車両を誘導するのを補助することができ、一方、第２の複数は、同一の道路上を反対方向に走行している車両を誘導するのを補助することができる。
【００７１】
本開示に係るレーダー方向転換テープは長尺状であってもよい。テープは、平坦化されたとき、例えば、道路の表面上に貼られたときに長尺状であってもよい。テープは、テープの面内に、長さ方向及びテープに直交する幅方向を規定することができる。テープが長尺状である場合、長さ方向は、テープの長い伸長部の方向である。
【００７２】
アンテナ導体は、テープの面内で、アンテナ導体の長い伸長部がテープの長さ方向に直交するように配置してもよい。この配置は、テープの長さ方向とほぼ平行な方向へレーダー放射線の大部分を反射することができる。ほとんどの車両誘導用レーダー反射テープは、その長さ方向が車両の走行方向に平行な状態で適用されることが想定されるため、この大部分が反射される方向は、多くのシナリオにおいて、レーダー放射線を照射した車両に戻る反射を強くする。
【００７３】
テープは、可撓性又は屈曲可能であってもよい。可撓性又は屈曲可能なテープを丸めてロール状のテープを形成することができる。テープ内に含まれるアンテナ導体は、可撓性又は屈曲可能であってもよく、それによりテープの可撓性を支援する。あるいは、アンテナ導体は剛性であってもよい。剛性のアンテナ導体は、より良好な反射特性をテープに提供することができる。
【００７４】
テープは、テープの２つの対向する主面の間に基材を含んでもよい。第１の複数の個別のレーダー反射指向性アンテナは、基材によって支持してもよい。第２の複数の個別のレーダー反射指向性アンテナをテープが含む場合、第１の複数及び／又は第２の複数の個別のレーダー反射指向性アンテナは、基材によって支持してもよい。第１及び／又は第２の複数の個別のレーダー反射指向性アンテナを基材内に埋め込む、すなわち、基材内部に配置し、基材によって囲むことができる。アンテナをテープの基材によって支持することにより、又は基材内に埋め込むことにより、アンテナをテープに確実にボンディングすることが容易となり得る。それにより基材は、特定の機械的支持及び保護をアンテナに提供することができ、それによりレーダー反射テープの寿命をより長くすることができる。
【００７５】
あるいは、アンテナをテープの表面上、例えば、外部表面上に配置してもよい。特に、アンテナは、テープを道路の表面に付着させた後に露出されるテープの表面上に配置してもよい。この場合、入射するレーダー放射線の反射をより強くすることができる。
【００７６】
例えば、マスクコーティング、リソグラフィ、レーザーアブレーション又はプリンティングなどの既知の技術を利用して、本開示に係るアンテナのアンテナ導体を作製することができる。第１の複数のアンテナのアンテナ導体のうちの１つ以上又は全ては、導電性材料の被覆パターンによって形成してもよい。全てのアンテナのアンテナ導体のうちの１つ以上又は全ては、導電性材料の被覆パターンによって形成してもよい。好ましい実施形態では、全てのアンテナ導体は、導電性材料の被覆パターンによって形成される。パターンは、テープの基材の表面上に直接被覆してもよい。パターンは、基材の表面上に被覆してもよい。テープは、第１主面と、対向する第２主面とを含んでもよく、第１主面上には複数の視認可能な再帰反射素子があり、第２主面上には接着剤がある。このようなテープでは、被覆パターンは層を形成することができる。被覆パターンの層は、第１主面上の複数の視認可能な再帰反射素子と第２主面上の接着剤との間に配置してもよい。
【００７７】
一般に、本開示に係るテープは、支持体、例えば、支持体層を含んでもよい。支持体は、アンテナ導体のうちの１つ以上又は全てを支持してもよい。支持体は、第１の複数のアンテナのアンテナ導体の全てを支持してもよい。第２の複数のアンテナが存在する場合、支持体は、第１の複数及び第２の複数のアンテナのアンテナ導体の全てを支持してもよい。
【００７８】
支持体は支持体層であってもよい。アンテナ導体の１つ以上又は全ては、支持体層上に被覆された導電性材料のパターンによって形成してもよい。支持体層は、レーダー方向転換テープ内に含まれてもよい。換言すれば、テープは支持体層を更に含んでもよい。その場合、アンテナ導体のうちの１つ以上又は全ては、支持体層上に被覆された導電性材料のパターンによって形成されている。支持体層が、支持体層上に被覆された導電性材料のパターンを支持して、このパターンがアンテナのアンテナ導体を形成してもよい。支持体層は、支持体層上に被覆された導電性材料のパターンを支持してもよく、このパターンは、第１の複数のアンテナのアンテナ導体を形成する。
【００７９】
本開示に係るテープを製造する場合、テープを組み立てる前に支持体にアンテナ導体を設けることができる。これにより、テープアセンブリが、より多用途かつ低コストになり得る。
【００８０】
特に、第１主面と、対向する第２主面とを含むテープであって、複数の視認可能な再帰反射素子が第１主面上にあり、接着剤が第２主面上にあるテープは、アンテナ導体を支持する支持体を更に含んでもよい。支持体は、第１主面上の複数の視認可能な再帰反射素子と第２主面上の接着剤との間に配置してもよい。支持体は支持体層であってもよい。支持体層は、ポリマー材料の支持体層、又はポリマー材料を含む支持体層であってもよい。
【００８１】
一般的に、本明細書に記載されたようなテープは、第１主表面と、対向する第２主面とを含んでもよい。テープは、複数の視認可能な再帰反射素子を第１主面上に含んでもよい。再帰反射素子は、夜間のテープの視認性を改善する役割を果たす。従って、本開示のレーダー方向転換テープは、レーダー反射作用を有しつつ人間に視認可能である道路標示のために使用することができる。
【００８２】
再帰反射素子の存在又は不存在に依存せず、テープは、第２主面上に接着剤を含んでもよい。接着剤により、テープを道路表面に付着することが容易になる。
【００８３】
ここで、特定の実施形態を例示する以下の図を参照して、本開示の概念をより詳細に説明する。図をより明確にするため、いくつかの寸法又は長さは、誇張されており、縮尺どおりではない場合がある。その結果、ある特定の寸法及び角度は、それらが現実にあるよりも大きく、又は小さく見える場合がある。
【００８４】
図１は、個別のレーダー反射指向性アンテナ５の斜視図である。アンテナ５は、不均等に離間された３つの直線状、長尺状のアンテナ導体、すなわち、第１のアンテナ導体１０、第２のアンテナ導体２０及び第３のアンテナ導体３０を含む。これらのアンテナ導体は、その長い伸長部が１つの幾何学的面内で互いに平行になるように配置されている。アンテナ導体１０、２０、３０の中心点５０は、アンテナ導体１０、２０、３０の長い伸長部に直交している対称軸６０上にある。
【００８５】
アンテナ導体１０、２０、３０は、不均等に離間されて配置されており、第１のアンテナ導体１０と第２のアンテナ導体２０との距離ｄ１２は、対称軸６０に沿って測定すると、第１のアンテナ導体１０と第３のアンテナ導体３０との距離ｄ１３よりも長い。距離ｄ１２は、第１のアンテナ導体１０の長さＬの約３０％であるのに対し、距離ｄ１３は、第１のアンテナ導体１０の長さＬの約２０％である。
【００８６】
この実施形態では、アンテナ導体１０、２０、３０は、支持体７０上に被覆された導電性金属のパターンとして形成されている。支持体７０は、薄い可撓性の電気絶縁性ポリマーフィルムである。アンテナ導体１０、２０、３０は非常に薄いため、アンテナ導体の厚さ、すなわち、支持体７０の面に垂直な方向へのアンテナ導体の伸びは描かれていない。
【００８７】
アンテナ導体１０、２０、３０は、所望の周波数のレーダー放射線を反射するための指向性アンテナ５を形成する。例えば、約７７ＧＨｚの周波数の目標周波数において、真空波長は約４ｍｍである。次に、この放射線を効率的に反射するために、第１のアンテナ導体の長さＬは、その波長の約半分、すなわち約２ｍｍとなる。指向性アンテナ５の反射特性は、長さＬを調節することにより、他の波長、例えば、実効波長に調節することができる。
【００８８】
利得及び指向特性は、長さ、すなわち、対称軸６０に直交するアンテナ導体１０、２０、３０の長い伸長部を調節することによって更に改善することができる。第３のアンテナ導体３０が第１のアンテナ導体１０よりも約２０％短く、かつ第１のアンテナ導体２０が第１のアンテナ導体１０よりも約５％長い場合、いくつかの用途において有利であることが分かっている。
【００８９】
既知のアンテナ理論によれば、３つのアンテナ導体１０、２０、３０を離間して配置することにより、到来するレーダー放射の大部分を、第２のアンテナ導体２０から第３のアンテナ導体３０の方向に向いている対称軸６０に沿った方向に反射するアンテナが形成される。この支配的な反射の一方向は、矢印８０によって示されている。矢印の方向８０は、以下、「反射方向」とも呼ばれる。アンテナ理論によれば、到来するレーダー波は、第２のアンテナ導体２０及び第３のアンテナ導体３０から反射されることにより、第１のアンテナ導体１０を励振する。共振効果のため、第１のアンテナ導体１０はレーダー波を再照射し、再照射された波は、第２のアンテナ導体２０及び第３のアンテナ導体３０により、位相シフトを伴って再度反射される。再照射された波と反射された波とが重畳され、レーダー波の大部分が、矢印８０の反射方向に反射され、他の方向にはほとんど反射されない。この効果により、アンテナ５が指向性反射器になる。
【００９０】
方向８０とは逆平行の方向から到達するレーダー波は、第１のアンテナ導体１０を特に強く励振する。それにより、再照射された信号は一般的により強くなる。従って、アンテナ５は、到来する信号が反射方向８０とは逆平行の方向から到達するとき、最も強い反射信号を反射方向８０に提供する。他の方向から到達する信号も大部分が反射方向８０に反射されるが、より弱いと考えられる。
【００９１】
個別のレーダー反射指向性アンテナ５は、既知の八木アンテナ又は八木・宇田アンテナに類似している。八木型アンテナの用語を使用すると、第１のアンテナ導体１０は共振ダイポール又はダイポールと呼ぶことができ、第２のアンテナ導体２０は反射器と呼ぶことができ、第３のアンテナ導体３０は導波器又は第１の導波器と呼ぶことができるが、アンテナには、その指向特性を向上させるために更なる導波器が装備されてもよい。ダイポール１０は、反射器２０と導波器３０との間に配置されている。
【００９２】
個別のレーダー反射指向性アンテナ５は、その幾何学的及び電気的設計パラメータに応じて、異なる指向特性及び利得を提供することができ、したがって、車両誘導システムにおける特定のレーダー反射形状に設計することができる。
【００９３】
アンテナ５と同様の複数の個別のアンテナを、レーダー方向転換テープ内に収容することができる。アンテナ５は比較的小型であるが、多数のそのようなアンテナ５が互いに隣接し、かつそれらの支配的な反射方向８０が平行に方向付けられており、到来するレーダービームの大部分を反射する。それにより、結果的に反射された信号全体がより強くなる。
【００９４】
図２は、本開示に係るレーダー反射テープ１の斜視概略図である。このテープは、図１に示した複数の個別のレーダー反射指向性アンテナ５を含む。テープ１は、テープ１の本体内に埋め込まれたアンテナ５をより良く示すために、その最上層が部分的に除去された状態で示されている。アンテナ５を除き、テープ１は、アンテナ５の電気特性に影響を与えないように、いかなる導電性材料も含まない。
【００９５】
テープ１は、長さ方向１００と、それに直交する幅方向１１０とにおいて伸長している。厚さ１２０は、それらの両方に直交する。テープ１は、第１主面１３０と、対向する第２主面とを有する。第２主面は、図２では見えない。その第１主面１３０上に、テープ１は、複数の視認可能な再帰反射素子１５０を含む。これらの素子１５０は、例えば、車両のヘッドライトによって適切に照明されたとき、夜間においてテープ表面の可視性を提供する。テープ１は、その第２主面上に接着剤の層１６０を含む。この層により、テープ１を道路の表面に粘着的に付着させることができる。
【００９６】
支持体７０は、図１に示すように、テープ１内に埋め込まれている。支持体７０は、テープ１の上部本体層１７０と下部本体層１９０との間に配置されている。支持体７０は、多数のアンテナ５を支持し、複数２００のアンテナ５を形成する。アンテナ５は、全て、同一の幾何学的面内に、すなわち支持体７０の面内に３つの平行な対称軸６０のうちの１つに沿って配置されている。全てのアンテナ５は、それらの反射方向８０が互いに平行になるように方向付けられている。従って、個別のアンテナ５の反射方向８０は、複数２００のアンテナ５の共通の反射方向１８０を形成するように組み合わされている。アンテナ５は、共通の反射方向１８０がテープの面内にあり、かつテープ１の長さ方向１００と平行になるように方向付けられている。
【００９７】
その代わりに、アンテナ５の全て又は一部を上部本体層１７０上に配置することが考えられる。それらは、再帰反射素子１５０の下で、上部本体層１７０上に配置してもよい。再帰反射素子１５０の存在は、テープ１のレーダー反射機能にとって重要ではない。再帰反射素子１５０が存在しない場合、アンテナ５は、上部本体層１７０の上部表面上に配置することができる。その場合、アンテナ５は、摩耗及び環境的な影響から最上層によって保護することができ、したがってそれらは最上層と上部本体層１７０との間に埋め込まれる。
【００９８】
複数のアンテナを、同一のレーダー反射テープ内で異なる方向に方向付けることができる。これを図３に示す。この図は、図２の視点と同様に、本開示に係る更なるレーダー方向転換テープの斜視図である。レーダー反射テープ２は、本開示に係るテープである。このテープは、図２に示したテープ１と同様である。ただし、このテープが、第１の複数の個別のレーダー反射指向性アンテナ５、すなわち第１の複数２１０と、更に、第２の複数の個別のレーダー反射指向性アンテナ１１、すなわち第２の複数２２０とを含むことを除く。第２の複数２２０のアンテナ１１は、第１の複数の、すなわち第１の複数２１０のアンテナ５と同一であり、それらのアンテナは、同一の幾何学的面内に、かつ同一の支持体７０上に配置されている。第１の複数２１０のアンテナ５は、支持体７０の第１の部分（図３の左側の部分）に配置されており、第２の複数２２０のアンテナ１１は、支持体７０の第２の部分（図３の右側の部分）に配置されている。
【００９９】
第２の複数２２０のアンテナ１１は、全て、同一の幾何学的面、すなわち支持体７０の面内に３つの平行な対称軸６１のうちの１つに沿って配置されている。第２の複数２２０の全てのアンテナ１１は、それらの反射方向８１が互いに平行になるように方向付けられている。従って、個別のアンテナ１１の反射方向８１は、第２の複数２２０のアンテナ１１の共通の反射方向１８１を形成するように組み合わされている。アンテナ１１は、第２の複数２２０の共通の反射方向１８１がテープ２の面内にあり、かつ第１の複数２１０の共通の反射方向１８０に直交するように方向付けられている。共通の反射方向１８１は、テープ２の長さ方向１００にも直交する。
【０１００】
２つの複数２１０、２２０のアンテナ５、１１は、２つの支配的な反射方向を有するテープ２を提供する。これらの反射方向、すなわち第１の複数２１０の反射方向１８０と第２の複数２２０の反射方向１８１とは互いに直交する。いくつかの実施形態では、２つの支配的な反射方向以外の配置が可能である。一般的に、２つの支配的な反射方向の間の角度は、１〜１８０度の範囲であってもよい。いくつかの実施形態では、追加的な複数の個別のレーダー反射指向性アンテナのそれぞれが、それ自体、個別に選択された支配的な反射方向を有する。
【０１０１】
図３に示した実施形態では、複数２１０、２２０の個別のアンテナ５、１１は同一である。すなわち、それらのアンテナ導体１０、２０、３０の配置及び作用は同一である。しかしながら、それらは異なることが可能であり、それにより、第１の複数２１０のアンテナ５は、第２の複数２２０のアンテナ１１とは異なる指向特性又は利得を有することが考えられる。それらは、例えば、支配的な反射率のより狭いローブを有するように設計してもよい。また、支持体７０の単位面積当たりのアンテナ５、１１の密度は、一方の複数２１０、２２０から他方の複数まで変化してもよい。１つの複数２００、２１０、２２０の範囲内でアンテナ５、１１の位置が対称軸に沿って整列されていることが重要ではないことに注意されたい。それらが共通の方位を有する限り、すなわち、それらの反射方向８０、８１が平行である限り、支持体７０全体にわたるそれらの空間分布は変化してもよく、更にはランダムであってもよい。
【０１０２】
一般的に、任意の特定の実施形態に関係なく、種々の複数２００、２１０、２２０のアンテナ５、１１が空間的に分離されることは重要ではない。異なる反射方向８０、８１を有するアンテナ５、１１の位置を支持体７０上で混在させることができる。製造効率のため、２つ又はそれ以上の別々の支持体７０を提供することが望ましい場合がある。それにより、１つの支持体７０は、１つの方向に方向付けられたアンテナ５、１１を支持し、別の支持体７０は、テープ１、２の長さ方向１００に対して別の方向に方向付けられたアンテナ５、１１を支持する。この場合、支持体７０を、１つの面内で、例えば、互いに隣接するように、又は一方が他方の上方となるように、テープ１、２の本体内に適用することができる。
【０１０３】
一般的に、任意の特定の実施形態に関係なく、アンテナ５、１１を支持するための支持体７０が存在することは重要ではない。支持体７０が存在しないときには、任意の方位の任意の数の個別のアンテナ５、１１を、テープ１、２内に、又はテープ１、２の表面上に配置してもよい。
【０１０４】
テープ１、２内のアンテナ５、１１の配置がどのようなものであっても、アンテナ１０、１１を互いに最小距離で配置することは有利となり得る。それにより、アンテナ５、１１は、隣接するアンテナ５、１１のレーダー反射特性に影響を与えない。
【０１０５】
本開示のレーダー方向転換テープ１、２は、通常、道路を標示するために使用することができる。それにより、道路標示は、自律車両を道路上で誘導することを容易にする。有用な形状では、テープ１、２は、その長さ方向１００が道路の長さ方向、すなわち道路を辿る車両の走行方向である状態で道路上に貼られている。この幾何関係を図４及び５の概略図に示す。ここで、図４は、道路２４０上を走行方向３００に、すなわち、これらの図の右に向かって走行している車両２３０を上面図で示す。車両２３０上に搭載されたレーダー照射器２５０は、レーダービーム２６０をほぼ走行方向３００に照射する。ビーム２６０のローブは、レーダービーム２６０の角度強度分布を示す。
【０１０６】
道路２４０は、図２に示したレーダー反射テープ１によって横方向に区切られている。テープ１は、その長さ方向１００が車両２３０の走行方向３００に整列されているように、すなわち、走行方向と平行に、又は逆平行に方向付けられているように貼り付けられている。この走行方向は、実質的に道路２４０の方向、すなわち「道路方向」２７０でもある。従って、テープ１の個別のアンテナの対称軸は、道路方向２７０に整列されている、すなわち、道路方向と平行である。テープ１は、複数のアンテナの共通の反射方向が、走行方向３００及び道路方向２７０と平行であるように、又はそれらと逆平行であるように配置することができる。
【０１０７】
図４では、車２３０は、道路２４０の右側を走行しており、テープ１は、道路２４０の右側に貼られている。この場合、共通の反射方向が、道路２４０の右側を走行している車の走行方向３００に対して逆平行になるようにテープ１を方向付けることが有利である。この配置は、レーダービームのより強い反射を提供する。
【０１０８】
レーダービーム２６０は、テープの信号領域２８０においてテープ１に当たる。この領域は、車両２３０前方の数十メートルの距離にある。明らかに、信号領域２８０は、車両２３０が走行するにつれて、ほぼ車両の速度で前方に移動する。有利には、レーダー照射器２５０は、最大強度のレーダービーム２６０が、レーダー照射器２５０から所望の、場合により所定の距離でテープ１上に照射されるように調節されている。車両をスムーズに誘導するためには、レーダーが、車両前方のおよそ数十メートル又は数百メートルを捕捉することが一般的に要求される。図４のシーンは、側面図で図５に概略化されている。レーダービーム２６０は、道路表面からの反射又はいかなる歪みも考慮することなく照射されるように図示されている。レーダービーム２６０は、軸対称の強度分布を有してもよいが、レーダービーム２６０の実際の「形状」は重要ではない。
【０１０９】
図４及び５は、レーダー照射器２５０によって照射されたレーダービーム２６０を示しているが、図６及び７は、それぞれ、図４及び５のシーン並びに反射されたレーダー放射線２９０を上面図及び側面図で視覚化している。一旦、レーダービーム２６０のレーダーパルスがテープ１の信号領域２８０に当たると、レーダー放射線は、信号領域２８０内のテープ１のアンテナによって捕捉される。アンテナの反射方向がテープ１の面と逆平行きに方向付けられているため、可能な最大効率ではないが、浅い角度で到達するレーダービーム２６０は高効率で捕捉される。
【０１１０】
アンテナの第１のアンテナ導体、例えば、ダイポールが電気的に励振され、レーダーパルスを反射方向に再照射する。反射されたレーダービーム２９０の角度強度分布は、アンテナの指向特性によって決定される。反射された放射線２９０の最大強度の支配的な反射方向は、一般的に、テープ１の面内にあり、かつテープ１の長さ方向にあるが、十分な強度で反射されたレーダービーム２９０が車両上のレーダー照射器２５０に向かって反射されるように、アンテナの指向特性を調節することができる。そして、その反射されたレーダービームがそこで検出される。
【０１１１】
いくつかの実施形態では、レーダー照射器２５０は、レーダー検出器として機能するようにも設計することができる。いくつかの実施形態では、１つ以上の別々のレーダー検出器が使用されてもよい。いくつかの実施形態では、第２のレーダー照射器は、第１のレーダー照射器と同一の周波数、又はそれとは異なる周波数で動作することが求められる場合がある。次に、検出された反射信号は、テープ及び道路に対する車両の位置に関する追加情報を提供するために処理することができる。
【０１１２】
テープ１は道路の右側に沿って図示されているが、例えば、道路の左側、車線のセンターライン、車線間の境界、又はこれらの任意の組み合わせを含む他の位置も有用である。テープの位置に応じて、各種のアンテナ領域の支配的な反射方向を調節してもよい。
【０１１３】
例えば、第１の反射方向を有する第１の複数と、第１の反射方向とは逆平行である第２の反射方向を有する第２の複数とを含むことが望ましい場合がある。このようなテープは、テープの長さ方向と平行な両方向に走行する車両によって使用することができ、入射レーダーを反射する。
【０１１４】
いくつかの実施形態では、アンテナの反射方向をテープの長さ方向とは平行ではないように配置することが望ましい場合がある。例えば、より大きな反射強度がテープからある程度横方向の車両によって受信されるように、反射方向を調節することが望ましい場合がある。
【０１１５】
本開示に基づき、当業者は、特定のレーダー周波数に対してアンテナ及びテープを設計することができる。例えば、比誘電率（εＲ）及び設計レーダー周波数（Ｆ）を有し、ここでＦが１〜３００ＧＨｚ（例えば、１０〜２００ＧＨｚ）であり、かつεＲが１より大きく１０未満であるテープの場合、得られる実効波長（λ’）はｃ／（Ｆ√（εＲ））となる。式中、ｃは真空中の光速である。次に、アンテナを組み立てることができる。その場合、ダイポールの長さは実効波長の４０〜６０％の間であり、第１の導波器の長さはダイポールの長さよりも１５〜２５％短く、ダイポールと第１の導波器との距離（ｄ１３）はダイポールの長さの１５〜２５％であり、反射器の長さはダイポールの長さよりも２〜３０％長く、反射器とダイポールとの距離（ｄ１２）はダイポールの長さの２５〜３５％であり、ｄ１２とｄ１３との差はダイポールの長さの５％〜３０％である。
【０１１６】
例示的なアンテナを表１にまとめる。２４ＧＨｚの例に対しては２及び６の比誘電率（εＲ）が選択される一方、７７ＧＨｚに対しては４及び８の比誘電率（εＲ）が選択される。
【０１１７】
ダイポールの長さは、±１０％の範囲で、実効波長の半分となるように選択される。反射器の長さは、ダイポールの長さの１０２〜１０８％の範囲で、ダイポールよりも５％長くなる（すなわち、ダイポールの１０５％）ように選択される。ダイポールと反射器との間隔（ｄ１２）は、２５〜３５％の範囲でダイポールの長さの３０％となるように選択される。
【０１１８】
導波器の長さは、ダイポールよりも２０％短く（すなわち、ダイポールの長さの８０％）、かつダイポールの長さの７５〜８５％の範囲をとるように選択される。ダイポールと導波器との間隔（ｄ２３）は、１５〜２５％の範囲でダイポールの長さの２０％となるように選択される。ダイポールの長さの３０％の距離ｄ１２とダイポールの長さの２０％の距離ｄ２３とに対し、ｄ１２とｄ２３との差はダイポールの長さの１０％であることに注意されたい。他の選択を行って、他の距離の差、例えば、少なくとも５％を達成してもよい。
【表１】
2019527974.tif 000003
【０１１９】
これらのアンテナは、単に本明細書に記載された各種の設計検討の使用を例示するものであり、当業者は、この開示の教示に基づいて他の選択を行うことが可能である。例えば、１〜３００ＧＨｚのレーダー周波数が可能であるが、２４ＧＨｚ及び７７ＧＨｚのみに対するアンテナ設計が示されている。
【０１２０】
一般に、算出された寸法は、多くの用途に許容できる良好な性能を提供する。しかしながら、これらの値はまた、優れた開始点を限られた量の通常の実験に提供し、それにより良い性能を得ることができる。
【図１】
2019527974.tif 000004
【図２】
2019527974.tif 000005
【図３】
2019527974.tif 000006
【図４】
2019527974.tif 000007
【図５】
2019527974.tif 000008
【図６】
2019527974.tif 000009
【図７】
2019527974.tif 000010
【手続補正書】
【提出日】平成31年4月22日(2019.4.22)
【手続補正１】
【補正対象書類名】明細書
【補正対象項目名】０１２０
【補正方法】変更
【補正の内容】
【０１２０】
一般に、算出された寸法は、多くの用途に許容できる良好な性能を提供する。しかしながら、これらの値はまた、優れた開始点を限られた量の通常の実験に提供し、それにより良い性能を得ることができる。本発明の実施態様の一部を以下の項目［１］−［２２］に記載する。
［１］
面を画定するなどのために配置可能なレーダー方向転換テープ（１、２）であって、前記テープは、第１の複数（２００、２１０）の個別のレーダー反射指向性アンテナ（５、１１）を含み、各指向性アンテナは、少なくとも３つの長尺状の不均等に離間されたアンテナ導体（１０、２０、３０）を含み、前記アンテナ導体の長い伸長部が、前記テープの前記面内で互いに平行に配置されることにより、前記指向性アンテナは、到来するレーダー放射線（２６０）の大部分を、前記アンテナ導体の前記長い伸長部に直交し、かつ前記テープの前記面と平行である方向（８０）に方向転換するように動作可能である、前記テープ。
［２］
前記少なくとも３つの長尺状の不均等に離間されたアンテナ導体は、ダイポール（１０）と、反射器（２０）と、第１の導波器（３０）とを含み、前記ダイポールは、前記反射器と前記第１の導波器との間に配置されており、かつ前記反射器と前記第１の導波器とに隣接している、項目１に記載のテープ。
［３］
前記ダイポール（１０）は０．１５ミリメートル〜１５センチメートルの長さを有する、項目２に記載のテープ。
［４］
前記ダイポール（１０）は０．２ミリメートル〜２０ミリメートルの長さを有する、項目３に記載のテープ。
［５］
前記第１の導波器（３０）は、前記ダイポールの前記長さの１０〜３０％の距離（ｄ１３）だけ前記ダイポール（１０）から離間されている、項目２〜４のいずれかに記載のテープ。
［６］
前記反射器（２０）は、前記ダイポールの前記長さの２０〜４０％の距離（ｄ１２）だけ前記ダイポール（１０）から離間されている、項目２〜５のいずれかに記載のテープ。
［７］
前記距離ｄ１３と前記距離ｄ１２との差は、前記ダイポールの前記長さの５％〜３０％である、項目２〜６のいずれかに記載のテープ。
［８］
前記第１の導波器（３０）の長さは、前記ダイポール（１０）の前記長さよりも少なくとも１０％短い、項目２〜７のいずれかに記載のテープ。
［９］
前記第１の導波器（３０）の前記長さは、前記ダイポール（１０）の前記長さよりも１０〜３０％短い、項目８に記載のテープ。
［１０］
前記反射器（２０）の長さは、前記ダイポール（３０）の前記長さよりも少なくとも２％長い、項目２〜９のいずれかに記載のテープ。
［１１］
前記反射器（２０）の前記長さは、前記ダイポール（３０）の前記長さよりも２〜８％大きい、項目１０に記載のテープ。
［１２］
前記反射器（２０）の前記長さは、前記ダイポール（３０）の前記長さよりも８〜４０％大きい、項目１０に記載のテープ。
［１３］
前記テープは比誘電率（εＲ）及び設計レーダー周波数（Ｆ）を有し、Ｆは１０〜２００ＧＨｚであり、かつεＲは１より大きく１０未満であり、ｃ／（Ｆ√εＲ）の実効波長（λ’）が得られ、式中、ｃは真空中の光速であり、
前記ダイポールの長さは前記実効波長の４０〜６０％であり、
前記第１の導波器の長さは前記ダイポールの前記長さよりも１５〜２５％短く、
前記ダイポールと前記第１の導波器との距離（ｄ１３）は前記ダイポールの前記長さの１５〜２５％であり、
前記反射器の長さは前記ダイポールの前記長さよりも２〜３０％長く、
前記反射器と前記ダイポールとの距離（ｄ１２）は前記ダイポールの前記長さの２５〜３５％であり、
ｄ１２とｄ１３との差は前記ダイポールの前記長さの５％〜３０％である、項目２に記載のテープ。
［１４］
前記少なくとも３つの長尺状の不均等に離間されたアンテナ導体（１０、２０、３０）は、前記アンテナ導体の長い伸長部が前記テープの前記面内で互いに平行に配置されており、八木型アンテナ構造を形成するように配置及び適合されている、項目１〜１３のいずれかに記載のテープ。
［１５］
前記テープは長尺状であり、前記テープの前記面内で、長さ方向（１００）及び前記長さ方向に直交する幅方向（１１０）を規定し、前記第１の複数のアンテナの前記アンテナ導体は、前記テープの前記面内で、前記アンテナ導体の長い伸長部が前記テープの前記長さ方向に直交するように配置されている、項目１〜１４のいずれかに記載のテープ。
［１６］
前記第１の複数のアンテナの前記アンテナ導体のうちの少なくとも１つは、導電性材料の被覆パターンによって形成されている、項目１〜１５のいずれかに記載のテープ。
［１７］
前記第１の複数のアンテナの前記アンテナ導体（１０、２０、３０）のうちの１つ以上を支持する支持体（７０）を更に含む、項目１〜１６のいずれかに記載のテープ。
［１８］
前記第１の複数の個別のレーダー反射指向性アンテナの全てのアンテナ（５）は、前記第１の複数の個別のレーダー反射指向性アンテナの第１の共通の支配的な反射方向（１８０）を提供するために前記テープの前記面内で同一の幾何学的方位を有する、項目１〜１７のいずれかに記載のテープ。
［１９］
第２の複数（２２０）の個別のレーダー反射指向性アンテナ（１１）を更に含み、前記第２の複数のアンテナの各指向性アンテナが、少なくとも３つの長尺状の不均等に離間されたアンテナ導体（１０、２０、３０）を含み、前記アンテナ導体の長い伸長部が前記テープの前記面内で互いに平行に配置されている、項目１〜１８のいずれかに記載のテープ。
［２０］
前記第２の複数（２２０）の個別のレーダー反射指向性アンテナの全てのアンテナ（１１）が、前記第２の複数の個別のレーダー反射指向性アンテナの第２の共通の支配的な反射方向（１８１）を提供するために前記テープの前記面内で同一の幾何学的方位を有し、前記第１の共通の支配的な反射方向（１８０）と前記第２の共通の支配的な反射方向（１８１）との角度は１〜１８０度である、項目１９に記載のテープ。
［２１］
前記第１及び前記第２の複数のアンテナの前記アンテナの前記アンテナ導体は、同一の支持体（７０）上に形成されている、項目１９及び２０のいずれかに記載のテープ。
［２２］
前記テープの第１主面上の複数の視認可能な再帰反射素子（１５０）と、前記テープの第２主面上の接着剤（１６０）とを更に含む、項目１〜２１のいずれかに記載のテープ。
【手続補正２】
【補正対象書類名】特許請求の範囲
【補正対象項目名】全文
【補正方法】変更
【補正の内容】
【特許請求の範囲】
【請求項１】
面を画定するなどのために配置可能なレーダー方向転換テープ（１、２）であって、前記テープは、第１の複数（２００、２１０）の個別のレーダー反射指向性アンテナ（５、１１）を含み、各指向性アンテナは、少なくとも３つの長尺状の不均等に離間されたアンテナ導体（１０、２０、３０）を含み、前記アンテナ導体の長い伸長部が、前記テープの前記面内で互いに平行に配置されることにより、前記指向性アンテナは、到来するレーダー放射線（２６０）の大部分を、前記アンテナ導体の前記長い伸長部に直交し、かつ前記テープの前記面と平行である方向（８０）に方向転換するように動作可能である、前記テープ。
【請求項２】
前記少なくとも３つの長尺状の不均等に離間されたアンテナ導体は、ダイポール（１０）と、反射器（２０）と、第１の導波器（３０）とを含み、前記ダイポールは、前記反射器と前記第１の導波器との間に配置されており、かつ前記反射器と前記第１の導波器とに隣接している、請求項１に記載のテープ。
【請求項３】
前記テープは比誘電率（εＲ）及び設計レーダー周波数（Ｆ）を有し、Ｆは１０〜２００ＧＨｚであり、かつεＲは１より大きく１０未満であり、ｃ／（Ｆ√εＲ）の実効波長（λ’）が得られ、式中、ｃは真空中の光速であり、
前記ダイポールの長さは前記実効波長の４０〜６０％であり、
前記第１の導波器の長さは前記ダイポールの前記長さよりも１５〜２５％短く、
前記ダイポールと前記第１の導波器との距離（ｄ１３）は前記ダイポールの前記長さの１５〜２５％であり、
前記反射器の長さは前記ダイポールの前記長さよりも２〜３０％長く、
前記反射器と前記ダイポールとの距離（ｄ１２）は前記ダイポールの前記長さの２５〜３５％であり、
ｄ１２とｄ１３との差は前記ダイポールの前記長さの５％〜３０％である、請求項２に記載のテープ。
【請求項４】
前記少なくとも３つの長尺状の不均等に離間されたアンテナ導体（１０、２０、３０）は、前記アンテナ導体の長い伸長部が前記テープの前記面内で互いに平行に配置されており、八木型アンテナ構造を形成するように配置及び適合されている、請求項１〜３のいずれか一項に記載のテープ。
【請求項５】
前記テープは長尺状であり、前記テープの前記面内で、長さ方向（１００）及び前記長さ方向に直交する幅方向（１１０）を規定し、前記第１の複数のアンテナの前記アンテナ導体は、前記テープの前記面内で、前記アンテナ導体の長い伸長部が前記テープの前記長さ方向に直交するように配置されている、請求項１〜４のいずれか一項に記載のテープ。
【請求項６】
前記第１の複数のアンテナの前記アンテナ導体（１０、２０、３０）のうちの１つ以上を支持する支持体（７０）を更に含む、請求項１〜５のいずれか一項に記載のテープ。
【請求項７】
前記第１の複数の個別のレーダー反射指向性アンテナの全てのアンテナ（５）は、前記第１の複数の個別のレーダー反射指向性アンテナの第１の共通の支配的な反射方向（１８０）を提供するために前記テープの前記面内で同一の幾何学的方位を有する、請求項１〜６のいずれか一項に記載のテープ。
【請求項８】
第２の複数（２２０）の個別のレーダー反射指向性アンテナ（１１）を更に含み、前記第２の複数のアンテナの各指向性アンテナが、少なくとも３つの長尺状の不均等に離間されたアンテナ導体（１０、２０、３０）を含み、前記アンテナ導体の長い伸長部が前記テープの前記面内で互いに平行に配置されている、請求項１〜７のいずれか一項に記載のテープ。
【請求項９】
前記第２の複数（２２０）の個別のレーダー反射指向性アンテナの全てのアンテナ（１１）が、前記第２の複数の個別のレーダー反射指向性アンテナの第２の共通の支配的な反射方向（１８１）を提供するために前記テープの前記面内で同一の幾何学的方位を有し、前記第１の共通の支配的な反射方向（１８０）と前記第２の共通の支配的な反射方向（１８１）との角度は１〜１８０度である、請求項８に記載のテープ。
【請求項１０】
前記テープの第１主面上の複数の視認可能な再帰反射素子（１５０）と、前記テープの第２主面上の接着剤（１６０）とを更に含む、請求項１〜９のいずれか一項に記載のテープ。
【国際調査報告】
2019527974.tif 000011
2019527974.tif 000012
2019527974.tif 000013